(57)【要約】【課題】ＦＡＸ送信の相手となる通信端末装置において装置識別情報が未登録の場合、当該通信端末装置のユーザに、装置識別情報が未登録であることを報知するとともにその登録を促すことができるファクシミリ装置を提供する。【解決手段】ＦＡＸ送信において、ＣＳＩ信号が受信できない、もしくは受信したＣＳＩ信号がブランクである場合に、自装置識別情報が未登録であることを報知するとともに、登録を喚起するためのメッセージが記載された報知用ページＰｉをＦＡＸ送信する。【選択図】図２
2007124192.tif 000002
【特許請求の範囲】
【請求項１】
ファクシミリ装置において、
ファクシミリ送信の際に通信相手装置からの装置識別情報を受信する識別情報受信手段と、
前記通信相手装置からの装置識別情報を受信できない場合に、当該通信相手装置に対して、装置識別情報が未登録の旨を報知するとともに装置識別情報の登録を喚起するメッセージを送信する登録喚起手段と、
を備えることを特徴とするファクシミリ装置。
【請求項２】
請求項１に記載のファクシミリ装置において、
前記識別情報受信手段が、所定の通信プロセスにおける所定の制御信号を受信できない場合に、装置識別情報が受信できないと判断することを特徴とするファクシミリ装置。
【請求項３】
請求項１または２に記載のファクシミリ装置において、
前記識別情報受信手段が、所定の通信プロセスにおいて受信した所定の制御信号がブランクである場合に、装置識別情報が受信できないと判断することを特徴とするファクシミリ装置。
【請求項４】
請求項２または３に記載のファクシミリ装置において、
前記所定の制御信号が被呼端末識別信号であることを特徴とするファクシミリ装置。
【請求項５】
請求項１から４のいずれかに記載のファクシミリ装置において、
前記登録喚起手段が、
所定の画像メッセージを記載した報知用ページをファクシミリ送信することによって、装置識別情報が未登録の旨を報知するとともに装置識別情報の登録を喚起するメッセージを送信することを特徴とするファクシミリ装置。
【請求項６】
請求項５に記載のファクシミリ装置において、
前記登録喚起手段が、
前記通信相手装置からの装置識別情報を受信できない場合に、当該通信相手に対する原稿のファクシミリ送信が完了して回線が切断された後に、再度当該通信相手に発呼して前記報知用ページをファクシミリ送信することを特徴とするファクシミリ装置。
【請求項７】
請求項５に記載のファクシミリ装置において、
前記登録喚起手段が、
前記通信相手装置からの装置識別情報を受信できない場合に、当該通信相手に送信する原稿の画像データと前記報知用ページの画像データとを含む送信画像データを、当該通信相手にファクシミリ送信することを特徴とするファクシミリ装置。
【請求項８】
請求項１から７のいずれかに記載のファクシミリ装置において、
ファクシミリ送信の際に前記通信相手装置から受信した装置識別情報を表示する識別情報表示手段、
を備えることを特徴とするファクシミリ装置。
【発明の詳細な説明】
【技術分野】
【０００１】
この発明は、ＣＳＩ信号（被呼端末識別信号）等を利用して通信相手装置の装置識別情報を受信する機能を有するファクシミリ装置に関する。
【０００２】
なお、一般的なファクシミリ装置は、ＣＳＩ信号やＴＳＩ信号（送信端末識別信号）等を利用して自装置に関する情報を通信相手先に送信する機能を備えているが、この機能によって自装置に関する情報を通信相手先に送信するためには、ＣＳＩ信号やＴＳＩ信号として使用される自装置に関する情報（以下において「装置識別情報」という）を予め登録しておく必要がある。
【背景技術】
【０００３】
従来より、上記の機能を誤送信の防止に利用するファクシミリ装置がある。例えば、ファクシミリ送信において、発呼先である通信相手装置の端末識別情報を受信して表示し、ユーザが当該表示によって発呼先を確認した上で画像データの送信開始許可を与えるという態様によって、画像データの誤送信を未然に防止する技術がある（特許文献１参照）。
【０００４】
また、ファクシミリ受信において、通信相手装置の電話番号が受信できない場合には、着信を拒否するとともに、着信拒否した旨の音声メッセージを送出する技術もある（特許文献２参照）。
【０００５】
【特許文献１】特開平５−１８３７１６号公報
【特許文献２】特開平９−６５０１１号公報
【発明の開示】
【発明が解決しようとする課題】
【０００６】
ところで、従来においては、ＣＳＩ信号やＴＳＩ信号として使用される自装置識別情報が未登録であってもファクシミリ通信に特に支障は生じなかった。このため、自装置識別情報が未登録であるとの事実を検知しないまま、装置の使用を続けるユーザが多かった。
【０００７】
一方、自装置識別情報が未登録である端末装置に対してファクシミリ通信を行う側のユーザからしてみれば、通信相手の端末装置において自装置識別情報が未登録であるために、発呼先が正しい通信相手かの確認を行うことができず、不便であった。また、正しい宛先であるにも拘わらず、自装置の備える誤送信防止機能が働いてファクシミリ送信が行えないといった事態も生じていた。
【０００８】
この発明は、このような事情に鑑みてなされたものであって、通信相手装置に、ＣＳＩ信号やＴＳＩ信号として使用される自装置識別情報が未登録であることを報知するとともに、その登録を促すことのできるファクシミリ装置を提供することを目的とする。なお、ファクシミリ通信の相手に自装置識別情報の登録を行わせることによって、以後においては、当該相手とのファクシミリ通信の際に、相手の装置識別情報を受信することが可能となる。すなわち、受信した装置識別情報によって通信相手を確認した上で、確実なファクシミリ通信を行うことが可能となる。
【課題を解決するための手段】
【０００９】
請求項１の発明は、ファクシミリ装置において、ファクシミリ送信の際に通信相手装置からの装置識別情報を受信する識別情報受信手段と、前記通信相手装置からの装置識別情報を受信できない場合に、当該通信相手装置に対して、装置識別情報が未登録の旨を報知するとともに装置識別情報の登録を喚起するメッセージを送信する登録喚起手段と、を備える。
【００１０】
請求項２の発明は、請求項１に記載のファクシミリ装置において、前記識別情報受信手段が、所定の通信プロセスにおける所定の制御信号を受信できない場合に、装置識別情報が受信できないと判断する。
【００１１】
請求項３の発明は、請求項１または２に記載のファクシミリ装置において、前記識別情報受信手段が、所定の通信プロセスにおいて受信した所定の制御信号がブランクである場合に、装置識別情報が受信できないと判断する。
【００１２】
請求項４の発明は、請求項２または３に記載のファクシミリ装置において、前記所定の制御信号が被呼端末識別信号である。
【００１３】
請求項５の発明は、請求項１から４のいずれかに記載のファクシミリ装置において、前記登録喚起手段が、所定の画像メッセージを記載した報知用ページをファクシミリ送信することによって、装置識別情報が未登録の旨を報知するとともに装置識別情報の登録を喚起するメッセージを送信する。
【００１４】
請求項６の発明は、請求項５に記載のファクシミリ装置において、前記登録喚起手段が、前記通信相手装置からの装置識別情報を受信できない場合に、当該通信相手に対する原稿のファクシミリ送信が完了して回線が切断された後に、再度当該通信相手に発呼して前記報知用ページをファクシミリ送信する。
【００１５】
請求項７の発明は、請求項５に記載のファクシミリ装置において、前記登録喚起手段が、前記通信相手装置からの装置識別情報を受信できない場合に、当該通信相手に送信する原稿の画像データと前記報知用ページの画像データとを含む送信画像データを、当該通信相手にファクシミリ送信する。
【００１６】
請求項８の発明は、請求項１から７のいずれかに記載のファクシミリ装置において、ファクシミリ送信の際に前記通信相手装置から受信した装置識別情報を表示する識別情報表示手段、を備える。
【発明の効果】
【００１７】
請求項１〜４に記載の発明によれば、通信相手装置からの装置識別情報を受信できない場合に、当該通信相手装置に対して装置識別情報が未登録の旨を報知するとともに装置識別情報の登録を喚起するメッセージを送信するので、通信相手装置のユーザに自装置識別情報が未登録であることを知得させるとともに、その登録を促すことができる。通信相手装置のユーザが当該喚起に応じて装置識別情報の登録を行った場合、以後においては、当該相手とのファクシミリ通信の際に、相手の装置識別情報を受信することが可能となる。
【００１８】
請求項５に記載の発明によれば、所定の画像メッセージを記載した報知用ページをファクシミリ送信することによって、装置識別情報が未登録の旨を報知するとともに装置識別情報の登録を喚起するメッセージを送信するので、通信相手装置のユーザに対する未登録の報知および登録の喚起を確実に行うことができる。
【００１９】
請求項６に記載の発明によれば、通信相手に対する原稿のファクシミリ送信が完了して回線が切断された後に、再度当該通信相手に発呼して報知用ページをファクシミリ送信するので、ファクシミリを受信した通信相手の側において、報知用ページが受信原稿と混在しない。つまり、報知用ページが受信原稿と混同される蓋然性が低くなるので、通信相手装置のユーザが、報知用ページを容易かつ確実に認識することができる。すなわち、通信相手装置のユーザに対する未登録の報知および登録の喚起をより確実に行うことができる。
【００２０】
請求項７に記載の発明によれば、通信相手に送信する原稿の画像データと報知用ページの画像データとを含む送信画像データを当該通信相手にファクシミリ送信するので、原稿のファクシミリ送信処理に付随させて報知用データを送信することができる。従って、通信相手装置のユーザに対する未登録の報知および登録の喚起を効率的に行うことができる。
【００２１】
請求項８に記載の発明によれば、ファクシミリ送信の際に通信相手装置から受信した装置識別情報を表示するので、ユーザはファクシミリ送信の際に画像データの送信される宛先を確認することができる。
【発明を実施するための最良の形態】
【００２２】
〈１．デジタル複合機〉
図１は、この発明の第１の実施の形態のファクシミリ装置に相当する機能が組み込まれたデジタル複合機１の構成を示すブロック図である。
【００２３】
図１を参照する。このデジタル複合機１は、ＦＡＸ機能、コピー機能、スキャン機能、プリント機能などの複数の機能を有する複合機（ＭＦＰ装置）として構成されている。
【００２４】
このデジタル複合機１は、制御部１１と、ＲＡＭ１２と、ＲＯＭ１３と、操作部１４と、表示部１５と、画像処理部１６と、画像読取部１７と、画像記録部１８と、画像メモリ１９と大容量蓄積部２０と、装置識別情報受信部２１と、装置識別情報登録喚起部２２と、通信関係の機能部２３〜２６とを、バスライン２７を介して電気的に接続した構成となっている。
【００２５】
制御部１１は、ＣＰＵで構成されている。制御部１１は、ＲＯＭ１３に記憶されたプログラムに基づいて上記のハードウエア各部を制御し、デジタル複合機１の機能を実現する。
【００２６】
ＲＡＭ１２は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。ＲＡＭ１２はＳＲＡＭやフラッシュメモリなどで構成される。
【００２７】
ＲＯＭ１３は、デジタル複合機１の制御に必要なプログラムやデータを予め格納した読み出し専用の記憶装置である。
【００２８】
操作部１４は、文字キー、テンキー、ファンクションキーなどの各種キーによって構成され、コマンドやテキストデータの入力といったユーザ操作を受け付ける。操作部１４が受けたユーザ操作は信号として制御部１１に入力される。制御部１１はユーザ操作に基づいて各部の動作を制御する。
【００２９】
表示部１５は、デジタル複合機１の動作状態や、画像データなどを表示する表示装置である。特に、ＦＡＸ送信の際に、通信相手装置から受信した装置識別情報を表示する。表示部１５は、液晶ディスプレイなどの表示装置により構成される。なお、操作部１４に設けられた各種のキーは、この表示部１５のディスプレイ画面上に設けたタッチパネルによって実現されてもよい。
【００３０】
画像処理部１６は、受信された画像データや、画像読取部１７から取得した画像データにＡ／Ｄ変換、表色系の変換、色調整、画像の合成などの種々の処理を行う処理部である。
【００３１】
画像読取部１７は、原稿上の画像をＣＣＤラインセンサなどの読取素子によって読み取るスキャナである。画像読取部１７は、ガラス台上に載置された原稿の表面を読取素子が走査して画像を読み取るタイプのスキャナであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナであってもよい。
【００３２】
画像記録部１８は、画像メモリ１９に格納された画像データなどを記録紙上へ記録するプリンタである。画像記録部１８には、例えば、電子写真方式のプリンタを採用することができる。
【００３３】
画像メモリ１９は、ＬＡＮＩ／Ｆ２５やＮＣＵ２６を通じて外部装置４，５，６から受信した画像データ、画像読取部１７において取得された画像データ、画像処理部１６において処理された画像データなどを、一時的に記憶するための記憶装置である。画像メモリ１９は、読み出しと書き込みとが可能なＤＲＡＭ等のメモリにより構成される。
【００３４】
大容量蓄積部２０は、ハードディスクなどにより構成される。大容量蓄積部２０は、画像読取部１７により処理された画像データを蓄積することができる。
【００３５】
装置識別情報受信部２１は、通信相手装置より受信したＣＳＩ信号やＴＳＩ信号に格納された通信相手の装置識別情報を受信するとともに、受信した情報をデジタル複合機１のユーザに知得させるための各種の処理（例えば、受信した情報を表示部１５に表示するための各種の処理）を行うための処理部である。
【００３６】
装置識別情報登録喚起部２２は、信相手装置からの装置識別情報が受信されなかった場合に、当該通信相手装置のユーザに、装置識別情報が未登録の旨を報知するとともに装置識別情報の登録を促すための各種の処理を行うための処理部である。自装置識別情報登録喚起部２２は、報知用ページメモリ２２１を備えている。報知用ページメモリ２２１は、報知用ページＰｉ（図２参照）の画像データを格納した記憶装置である。「報知用ページＰｉ」とは、所定のメッセージ（すなわち、通信相手装置のユーザに、自装置識別情報が未登録であることを報知するとともに自装置識別情報の登録を促すためのメッセージ）を記載した画像であり、その構成例が図２に示されている。
【００３７】
さらにこのデジタル複合機１には、通信関係の機能部として、画像データ等を複数のプロトコルに対応して符号化/復号化するコーデック（ＣＯＤＥＣ）２３と、送受信データの変調および復調を行うモデム２４と、ＬＡＮ（ローカルエリアネットワーク）１００とのインターフェイスに相当するＬＡＮＩ／Ｆ２５と、電話回線の開閉制御を行うＮＣＵ２６とが、バスライン２７を介して電気的に接続した構成となっている。
【００３８】
次に、このデジタル複合機１の通信環境について説明する。デジタル複合機１は、ＬＡＮ１００と接続されている。ＬＡＮ１００にはメールサーバ３や外部端末４などが接続されている。また、ＬＡＮ１００は、ルータ２などを介してインターネット２００に接続されている。このような構成によって、デジタル複合機１は、ＬＡＮ１００を介して接続された外部端末４や、インターネット２００を介して接続された外部端末５と電子メール通信などを行うことができる。さらに、デジタル複合機１は、アナログ回線用のデータ通信ネットワークであるＰＳＴＮ（公衆交換電話網）３００と接続されている。これによって、デジタル複合機１はＰＳＴＮ３００を介して接続された外部端末６との通信を行うことができる。外部端末４，５，６は、モデム接続されたパソコン、デジタル複合機１と同様の装置、固定電話、携帯電話、ＦＡＸ専用機、等である。
【００３９】
〈２．処理動作〉
図３は、第１の実施の形態に係るデジタル複合機１において、通常のＦＡＸ送信（すなわち、原稿画像のＦＡＸ送信）を行う際の処理動作を示すフローチャートである。また、図４は、第１の実施の形態に係るデジタル複合機１において、報知用ページＰｉのＦＡＸ送信を行う際の処理動作を示すフローチャートである。以下に説明するように、第１の実施の形態においては、ＦＡＸ送信において通信相手装置より装置識別情報が受信されない場合には、当該ＦＡＸ送信処理が完了した後に、改めて報知用ページＰｉのＦＡＸ送信処理が行われる。なお、特に記載のない場合、以下の動作は制御部１１の制御下で自動に行われる。
【００４０】
〈２−１．原稿画像のＦＡＸ送信処理〉
はじめに、図３を参照して、原稿画像のＦＡＸ送信を行う際の処理動作について説明する。
【００４１】
ユーザによるＦＡＸ送信指示および送信宛先番号の入力が行われるとＦＡＸ送信処理が開始される。まず、入力された送信宛先のＦＡＸ番号が読み込まれる（ステップＳ１）。なお、ＦＡＸ番号の入力は操作部１４のテンキーから直接に行われてもよいし、短縮番号等の指定によって行われてもよい。後者の場合、入力された短縮番号に応じて、ＲＡＭ１２に記憶されたＦＡＸ番号が送信宛先として読み込まれる。また、ＦＡＸ送信指示は、例えば、操作部１４に設けられた送信キー（図示省略）の操作によってなされる。また、画像読取部１７の原稿載置部（図示省略）に原稿が載置されたことをもってＦＡＸ送信指示がなされたとしてもよい。後者の場合、原稿載置部に設けられた光学センサなどによって読み取るべき原稿が検知された場合、当該原稿の画像データのＦＡＸ送信指示がなされたと判断される。
【００４２】
続いて、ステップＳ１で読み込んだ宛先に発呼して所定の通信プロセスによるＦＡＸ送信処理を開始する（ステップＳ２）。なお、以下における一連の通信処理は、所定の通信プロトコル（例えばＧ３プロトコル）を用いて行われるが、図３には、特に、自装置識別情報の受信および通信相手装置に対する装置識別情報の登録喚起に関連する制御信号のみを示し、その他の制御信号については説明を省略している。
【００４３】
続いて、装置識別情報受信部２１において、ＣＳＩ信号を受信したか否かが判断される（ステップＳ３）。
【００４４】
〈ａ．装置識別情報を受信した場合〉
ステップＳ３でＣＳＩ信号を受信したと判断された場合、さらに、当該受信したＣＳＩ信号に通信相手装置の装置識別情報が格納されているか否かが判断される（ステップＳ４）。
【００４５】
ステップＳ４で、装置識別情報が格納されていると判断された場合、装置識別情報受信部２１は当該受信した装置識別情報を表示部１５に表示する（ステップＳ５）。ＦＡＸの送信者であるデジタル複合機１のユーザは、表示部１５に表示された通信相手装置の装置識別情報（例えば、通信相手装置のＦＡＸ番号）から通信相手を確認することができる。表示部１５に受信した装置識別情報が一定時間表示されると、ステップＳ７の処理に移行する。
【００４６】
なお、表示された装置識別情報を確認したユーザが、当該通信相手が所望の相手先ではないと判断した場合に備えて、一定時間は画像データの送信中止指示を受け付ける構成としてもよい。この場合、ユーザが操作部１４より画像データの送信中止指示を行った場合には、画像データの送信を実行せずに終了する。すなわち、ステップＳ７の処理をスキップしてステップＳ８に移行する。また、一定時間の内に送信中止指示が行われなかった場合には、画像データの送信処理、すなわちステップＳ７に移行する。
【００４７】
また逆に、一定時間は画像データの送信実行指示を受け付ける構成としてもよい。この場合、表示された装置識別情報を確認したユーザが、一定時間の内に操作部１４より画像データの送信実行指示を行わなかった場合には、画像データの送信を実行せずに終了する。すなわち、ステップＳ７の処理をスキップしてステップＳ８に移行する。また、一定時間の内に送信実行指示が行われた場合には、画像データの送信処理、すなわちステップＳ７に移行する。
【００４８】
ステップＳ７においては、画像読取部１７において原稿載置部（図示省略）に載置された原稿が読み取られるとともに、ステップＳ１で読み込まれた送信宛先に当該読み取られた原稿の画像データが送信される。
【００４９】
ステップＳ７の画像データの送信が完了すると、回線を切断して（ステップＳ８）、原稿画像のＦＡＸ送信処理を終了する。
【００５０】
〈ｂ．装置識別情報を受信しない場合〉
一方、ステップＳ３でＣＳＩ信号を受信しないと判断された場合、報知用ページＰｉの送信指示信号を装置識別情報登録喚起部２２に送信して（ステップＳ６）、ステップＳ７の処理に進む。なお、ここで、報知用ページＰｉの送信指示信号と併せて、装置識別情報が受信されなかった通信相手装置の宛先（すなわちステップＳ１で読み込まれた宛先）を装置識別情報登録喚起部２２に送信しておく。
【００５１】
また、ステップＳ３でＣＳＩ信号を受信したと判断された場合であって、ステップＳ４で当該受信したＣＳＩ信号に装置識別情報が格納されていないと判断された場合（すなわち、ＣＳＩ信号がブランクである場合）も同様に、報知用ページＰｉの送信指示信号および装置識別情報が受信されなかった通信相手装置の宛先を装置識別情報登録喚起部２２に送信して（ステップＳ６）、ステップＳ７の処理に進む。
【００５２】
なお、報知用ページＰｉの送信指示信号を受信した装置識別情報登録喚起部２２の処理動作については以下に説明する。
【００５３】
〈２−２．報知用ページＰｉのＦＡＸ送信処理〉
次に、図４を参照して、報知用ページＰｉのＦＡＸ送信を行う際の処理動作について説明する。すなわち、上述の原稿画像のＦＡＸ送信処理において、装置識別情報登録喚起部２２に報知用ページＰｉの送信指示信号が送信された場合（図３のステップＳ６）に実行される一連の処理動作について説明する。
【００５４】
装置識別情報登録喚起部２２において、報知用ページＰｉの送信指示が受信されたと判断されると（ステップＳ２１）、所定の通信相手装置のユーザに対する未登録の報知および登録の喚起を行うための処理が開始される。より具体的には報知用ページＰｉのＦＡＸ送信処理が開始される。なお、以下の処理は上述の原稿画像のＦＡＸ送信処理が終了した後、すなわち、図３のステップＳ８において回線が切断された後に開始される。
【００５５】
まず、報知用ページＰｉの送信宛先のＦＡＸ番号が読み込まれる（ステップＳ２２）。具体的には、報知用ページＰｉの送信指示信号と併せて受信した宛先（すなわち、装置識別情報が受信されなかった通信相手装置の宛先（図３のステップＳ６参照））を、報知用ページＰｉの送信宛先として読み込む。
【００５６】
続いて、ステップＳ２２で読み込んだ宛先に発呼して所定の通信プロセスによるＦＡＸ送信処理を開始する（ステップＳ２３）。
【００５７】
続いて、報知用ページＰｉの画像データが当該宛先に送信される（ステップＳ２４）。より具体的には、報知用ページメモリ２２１に格納された報知用ページＰｉの画像データが読み出され、ステップＳ２２で読み込まれた送信宛先に送信される（ステップＳ２４）。
【００５８】
図２には、報知用ページＰｉの一例が示されている。図２に示されるように、報知用ページＰｉには、装置識別情報が未登録の旨を報知するとともに、装置識別情報の登録を喚起するためのメッセージ（例えば、「自装置識別情報が未登録です、登録をおすすめします。」「電話番号を登録してください。」等といったメッセージ）が記載されている。なお、自装置識別情報の登録方法をより具体的に説明する記載をさらに加えてもよい。
【００５９】
ステップＳ２４の報知用ページＰｉの画像データの送信が完了すると、回線を切断して（ステップＳ２５）、報知用ページＰｉのＦＡＸ送信処理を終了する。
【００６０】
このような構成によると、装置識別情報が受信できなかった相手先に対して、装置識別情報が未登録の旨を報知するとともに装置識別情報の登録を喚起するためのメッセージが記載された報知用ページＰｉをＦＡＸ送信するので、当該通信相手装置のユーザに自装置識別情報が未登録であることを報知するとともに、その登録を促すことができる。また、当該ユーザが当該報知に応じて自装置の自装置識別情報の登録を行った場合、以後においては、当該相手とのファクシミリ通信の際に、相手の装置識別情報を受信することが可能となる。すなわち、通信相手を、受信した装置識別情報によって確認した上で、確実なファクシミリ通信を行うことが可能となる。
【００６１】
また、このような構成によると、装置識別情報の通知設定を促すための報知を、所定メッセージを記載した報知用ページＰｉを原稿の送信に引き続いてＦＡＸ送信するので、報知用ページＰｉを通信相手装置のユーザに確実かつ迅速に受け取らせることができる。つまり、通信相手装置のユーザに自装置識別情報が未登録であることを確実かつ迅速に報知することができる。
【００６２】
また、このような構成によると、装置識別情報が受信できなかった相手先に対する原稿画像のＦＡＸ送信が完了して当該通信相手との通信が切断された後に（すなわち図３のステップＳ８の後に）、再度当該通信相手に発呼して報知用ページＰｉの画像データをＦＡＸ送信するので、ＦＡＸを受信した側において、報知用ページＰｉが通常の受信原稿と混在する蓋然性が低くなる。従って、報知用ページＰｉを受信した側のユーザは、当該ＦＡＸ送信された画像が、通常の受信原稿ではなく、報知用ページＰｉであることを容易かつ確実に認識することができる。つまり、このような構成によって、通信相手のユーザに自装置識別情報が未登録であることを確実に報知することができる。
【００６３】
〈２−３．変形例〉
本実施の形態においては、報知用ページＰｉの送信実行指示が行われた場合には（図３のステップＳ６）、必ず報知用ページＰｉの送信を実行する構成としているが、報知用ページＰｉを一度でもＦＡＸ送信した宛先に対しては、報知用ページＰｉの送信処理は実行しない構成としてもよい。
【００６４】
この場合、報知用ページＰｉの送信を実行した宛先を、送信済みリストとして記憶するメモリをさらに設け、報知用ページＰｉの送信を実行した際に、送信した宛先を送信済みリストに記憶する。一方で、ステップＳ２１の報知用ページＰｉの送信実行指示が行われた際に、その送信実行指示と併せて送信された宛先（すなわち、報知用ページＰｉの送信宛先）に対して既に報知用ページＰｉを送信しているか否かを送信済みリストを参照して判断する。当該送信実行指示と併せて送信された宛先が、既に報知用ページＰｉを送信した宛先であると判断された場合（すなわち、送信済みリストに当該宛先と同一のものがあると判断された場合）には、報知用ページＰｉの送信処理は行わずそのまま処理を終了する。報知用ページＰｉを未だ送信していない宛先であると判断された場合には、報知用ページＰｉの送信処理を実行する。
【００６５】
このような構成によると、同一の通信相手装置に対して報知用ページＰｉが何度も送信されることがない。つまり、特定の相手に対して通信報知用ページＰｉが何度も送られて、当該相手に煩わしい思いをさせることがない。
【００６６】
〈３．第２の実施の形態〉
〈３−１．ＦＡＸ送信処理動作〉
図５は、第２の実施の形態に係るデジタル複合機１においてＦＡＸ送信を行う際の処理動作を示すフローチャートである。ただし、第２の実施の形態に係るデジタル複合機１は第１の実施の形態と同様の構成を有している。以下に説明するように、第２の実施の形態においては、通信相手装置より装置識別情報が受信されない場合には、原稿のＦＡＸ送信処理に付随して、装置識別情報が未登録の旨を報知するとともに装置識別情報の登録を喚起する。すなわち、装置識別情報が受信できなかった通信相手に対しては、原稿に報知用ページＰｉを付加してＦＡＸ送信する。なお、特に記載のない場合、以下の動作は制御部１１の制御下で自動に行われる。ただし以下においては、第１の実施の形態における処理動作と相違する点について説明し、共通する点については説明を省略している。
【００６７】
ユーザによるＦＡＸ送信指示および送信宛先番号の入力が行われるとＦＡＸ送信処理が開始される。まず、入力された送信宛先のＦＡＸ番号が読み込まれる（ステップＳ３１）。
【００６８】
続いて、ステップＳ３１で読み込んだ宛先に発呼して所定の通信プロセスによるＦＡＸ送信処理を開始する（ステップＳ３２）。なお、以下における一連の通信処理は、所定の通信プロトコル（例えばＧ３プロトコル）を用いて行われるが、図５には、特に、自装置識別情報の受信および通信相手装置に対する装置識別情報の登録喚起に関連する制御信号のみを示し、その他の制御信号については説明を省略している。
【００６９】
続いて、装置識別情報受信部２１において、ＣＳＩ信号を受信したか否かが判断される（ステップＳ３３）。
【００７０】
〈ａ．装置識別情報を受信した場合〉
装置識別情報を受信した場合（すなわち、ステップＳ３３でＣＳＩ信号を受信したと判断され、さらにステップＳ３４で装置識別情報が格納されていると判断された場合）の処理動作（ステップＳ３５〜ステップＳ３８）は、第１の実施の形態において説明した、装置識別情報が受信された場合の処理動作と同様である（図３のステップＳ５〜ステップＳ８参照）。
【００７１】
〈ｂ．装置識別情報を受信しない場合〉
一方、ステップＳ３３でＣＳＩ信号を受信しないと判断された場合、ステップＳ３７の処理に進む。
【００７２】
また、ステップＳ３３でＣＳＩ信号を受信したと判断された場合であって、ステップＳ３４で、装置識別情報が格納されていないと判断された場合も、ステップＳ３７の処理に進む。
【００７３】
ステップＳ３７においては、送信される画像データの最終ページとして報知用ページＰｉ（図２参照）が付加されたデータが、送信画像データとしてＦＡＸ送信される。
【００７４】
この処理についてより具体的に説明する。まず、画像読取部１７において原稿載置部（図示省略）に載置された原稿が読み取られる。さらに、予め報知用ページメモリ２２１に格納された報知用ページＰｉの画像データが読み出される。続いて、ステップＳ３１で読み込まれた送信宛先に当該読み取られた原稿の画像データおよび報知用ページＰｉの画像データが順に送信される（ステップＳ３７）。
【００７５】
ステップＳ３７の画像データ（すなわち原稿画像データと報知用ページＰｉの画像データとを含む送信画像データ）の送信が完了すると、回線を切断して（ステップＳ３８）、ＦＡＸ送信処理を終了する。
【００７６】
このような構成によると、装置識別情報が受信できなかった相手先に対して、原稿画像の画像データに報知用ページＰｉの画像データを付加してＦＡＸ送信するので、一度のＦＡＸ送信処理で原稿と報知用データＰｉとを送信することができる。従って、自装置識別情報が未登録であることの報知を効率的に行うことができる。
【００７７】
〈３−２．変形例〉
本実施の形態においては、送信される画像データの最終ページとして、報知用ページＰｉが付加されてＦＡＸ送信されるが、報知用ページＰｉの変わりに、報知用ページとしても機能するカバーページＣｉを送信してもよい。すなわち、原稿の送信案内書として原稿画像データに付加されて送信される通常のカバーページに、自装置識別情報の登録喚起を行うためのメッセージを記載して送信してもよい。つまりこの場合、報知用ページＰｉを原稿の送信案内書であるカバーページと独立に送信するのではなく、カバーページＣｉを報知用ページとしても機能させることになる。
【００７８】
図６には、報知用ページとしても機能するカバーページＣｉの一例が示されている。図６に示されるように、カバーページＣｉには、通常の送信案内に加えて、自装置識別情報が未登録であることを報知するとともに、登録を喚起するためのメッセージｉが記載されている。
【００７９】
このような態様の場合、図５のステップＳ３７において、原稿が読み取られるとともに、予め報知用ページメモリ２２１に格納されたカバーページＣｉの画像データが読み出される。続いて、ステップＳ３１で読み込まれた送信宛先にカバーページＣｉおよび読み取られた原稿の画像データが順に送信される。すなわち、送信される画像データの先頭ページとして、報知用ページとしても機能するカバーページＣｉ（図６参照）が付加されてＦＡＸ送信される。
【００８０】
〈４．変形例〉
上記の各実施の形態においては、報知用ページＰｉ、すなわち画像メッセージのＦＡＸ送信によって、装置識別情報が受信できなかった通信相手装置のユーザに対して、自装置識別情報が未登録であることを報知するとともにその登録を促していたが、通信相手装置のユーザが視覚的あるいは聴覚的に知覚できる態様を用いた他の方法で行ってもよい。例えば、所定のメッセージ（例えば、「自装置識別情報が未登録です、登録をおすすめします。」等のメッセージ）を音声メッセージとして通信相手に送ることによって、自装置識別情報が未登録であることを報知するとともにその登録を促してもよい。また、このようなメッセージを通信相手装置の表示部に表示させてもよい。
【００８１】
また、上記の各実施の形態においては、ＦＡＸ送信において、通信相手装置の装置識別情報が受信できなかった場合には、自動に、装置識別情報が未登録の旨を報知するとともに装置識別情報の登録を喚起するための処理（すなわち報知用ページＰｉの送信）を行う構成としているが、装置識別情報の登録を喚起するための処理を行うか否かをユーザに問い合わせ、いずれかをユーザが判断して選択入力する構成を設けてもよい。
【００８２】
このような構成についてより具体的に説明する。通信相手装置の装置識別情報を受信しない場合、その旨をユーザに示すための所定のメッセージ（例えば「ＦＡＸ送信先の装置識別情報が受信できませんでした」とのメッセージ）を表示部１５に表示する。さらに、当該通信相手に対して報知用ページＰｉの送信処理を実行するか否かの判断を促すメッセージ（例えば「報知用ページを送信しますか？」とのメッセージ）を表示部１５に表示する。当該メッセージに応じてユーザが操作部１４より報知用ページＰｉの送信実行指示を行った場合に限り報知用ページＰｉの送信処理を行い、当該指示が行われなかった場合には報知用ページＰｉの送信を行わない。
【００８３】
このような構成によると、ユーザが所望する場合にのみ報知用ページＰｉの送信を行うこととなり報知用ページＰｉを無駄に送信することがない。
【図面の簡単な説明】
【００８４】
【図１】第１の実施の形態に係るデジタル複合機１の構成を示すブロック図である。
【図２】報知用ページの構成例を示す図である。
【図３】第１の実施の形態に係るデジタル複合機１のＦＡＸ送信処理動作を示すフローチャートである。
【図４】第１の実施の形態に係るデジタル複合機１の報知用ページのＦＡＸ送信処理動作を示すフローチャートである。
【図５】第２の実施の形態に係るデジタル複合機１のＦＡＸ送信処理動作を示すフローチャートである。
【図６】報知用ページとしても機能するカバーページＣｉの構成例を示す図である。
【符号の説明】
【００８５】
１  デジタル複合機
２１  装置識別情報受信部
２２  装置識別情報登録喚起部
２２１  報知用ページメモリ
Ｐｉ  報知用ページ
Ｃｉ  カバーページ
【図１】
2007124192.tif 000003
【図２】
2007124192.tif 000004
【図３】
2007124192.tif 000005
【図４】
2007124192.tif 000006
【図５】
2007124192.tif 000007
【図６】
2007124192.tif 000008